(57)【要約】【課題】安定したヒンジ接続を行うことができる遊技機のヒンジ機構を提供する。【解決手段】本発明に係る遊技機のヒンジ機構は、揺動部材１５０を備え、揺動部材１５０に軸部１１３と係合可能な軸係合部１５２と軸係合部１５２と繋がるガイド部１５３が形成されており、軸部１１３をガイド部１５３に当接させて揺動部材１５０を非軸係合位置に位置させた状態で、軸部１１３をガイド部１５３に沿って前方に移動させ、軸部１１３が軸孔１３２に位置すると揺動部材１５０が付勢力により軸係合位置に揺動し軸係合部１５２が軸部１１３と係合することで、揺動部材１５０により軸部１１３のガイド孔１３３への移動が規制された状態で軸部１１３が軸孔１３２と係合するとともに、軸係合部１５２が軸部１１３と係合した状態でロック部材１６０により揺動部材１５０の揺動が規制可能に構成される。【選択図】  図９
2004208966.tif 000002
【特許請求の範囲】
【請求項１】
遊技機の側部上下に配設されて開閉部材をベース部材に対して揺動開閉自在にヒンジ接続させる上下一対のヒンジ機構における一方のヒンジ機構であって、
前記開閉部材に固設された上方に突出する軸部を有する第１ヒンジ部材と、
前記ベース部材に固設され、前方へ水平に突出する第１板状部と、前記第１板状部の前端部から下方へ段差状に折り曲げられて前方へ水平に突出する第２板状部とを有する第２ヒンジ部材と、
一端側が前記第１板状部の下方に位置するとともに、他端側が前記一端から前方に延びて前記第２板状部の後端壁部に形成された通過孔を通過し前記第２板状部の上方に位置するように形成され、前記一端が前記第１板状部の下方に、前記他端と前記軸部とが係合可能な軸係合位置と、前記他端と前記軸部との係合を解除する非軸係合位置とに揺動可能に連結された揺動部材と、
前記揺動部材を前記軸係合位置に向けて付勢する付勢手段と、
前記揺動部材が前記軸係合位置に位置するときに前記揺動部材の揺動を規制可能なロック部材と、
前記第２板状部の上方を覆うカバー部材とを備え、
前記第２板状部に前記軸部と係合する軸孔とこの軸孔に繋がって後方に延びたガイド孔が形成されるとともに、前記第２板状部の後端壁部に前記軸部および前記揺動部材が通過可能な前記通過孔が前記ガイド孔に繋がって形成され、
前記揺動部材の前記他端に前記軸部と係合可能な軸係合部が形成されるとともに、前記揺動部材の一側部にガイド部が前記軸係合部に繋がって後方に延びて形成されており、
前記軸部を前記第２板状部の後方に位置させると前記軸部が前記ガイド部に当接し、前記揺動部材が前記軸部に押圧されて前記非軸係合位置に位置する状態で、前記軸部を前記ガイド部に沿って前方に移動させると前記軸部が前記通過孔および前記ガイド孔に導かれ、前記軸部が前記ガイド孔を通過して前記軸孔に位置すると前記揺動部材が前記付勢手段の付勢力を受けて前記軸係合位置に揺動し前記軸係合部が前記軸部と係合することで、前記揺動部材により前記軸部の前記ガイド孔への移動が規制された状態で前記軸部が前記軸孔と係合するとともに、
前記軸係合部が前記軸部と係合した状態で前記ロック部材により前記揺動部材の揺動が規制可能に構成されることを特徴とする遊技機のヒンジ機構。
【発明の詳細な説明】
【０００１】
【発明の属する技術分野】
本発明は、ベース部材と開閉部材との間に配設されて、ベース部材と開閉部材とを相対的に揺動開閉自在に接続するヒンジ機構に関する。
【０００２】
【従来の技術】
上記のようなヒンジ機構は遊技機に多用されており、その一例として、パチンコ機における外枠と前枠との間に配設されるヒンジ機構があげられる。パチンコ機のヒンジ機構は、外郭方形状の開口を有する外枠とこの開口面域に合わせた開閉搭載用の前枠との互いの正面左側上下に配設された上下一対のヒンジ機構からなる。
【０００３】
上下のヒンジ機構はそれぞれ、図１８に示すように、水平に配設された第１板状部５０１に軸支持孔５０２が形成された第１ヒンジ部材５００と、水平に配設された第２板状部５０６から上方に突出する支軸５０７が固設された第２ヒンジ部材５０５とから構成される。このような構成の上下一対のヒンジ機構において、軸支持孔５０２内に支軸５０７を嵌入させて第１および第２ヒンジ部材５００，５０５を水平に相対回動自在に接続させることにより、外枠に対して前枠を揺動開閉および着脱可能に支持するように構成している。
【０００４】
ところが、上記のような従来のヒンジ機構では、外枠に対して前枠を装着しようとするときに、上下両方のヒンジ機構の軸支持孔５０２と支軸５０７とをともに位置合わせして（軸心を一致させて）係合させなければならず、作業が容易でないという問題があった。特に、遊技施設内での装着にあっては、外枠が遊技島に固定されて移動不能であるとともに、前枠には遊技盤や裏セット盤、制御装置等が組み込まれて相当な重量（例えば、１５〜２０ｋｇ）を有しており、さらにヒンジ機構が重心位置と離れた側方に位置しているため、上下２カ所の位置決めを行う装着作業が極めて困難であるという問題があった。
【０００５】
このような問題に鑑みて、例えば、図１９に示すように、第１ヒンジ部材５００′の板状部５０１に外側面から軸支持孔５０２に繋がる導入開口５０３を形成し、第２ヒンジ部材５０５′の支軸５０７の左右を平面状にカットして平面部５０７ａ，５０７ａを形成し、支軸５０７の左右平面部５０７ａ，５０７ａの幅が導入開口５０３の幅より僅かに狭くなるように構成することが知られている。
【０００６】
この構成では、支軸５０７の左右平面部５０７ａ，５０７ａを導入開口５０３を通過させることにより支軸５０７を側方から軸支持孔５０２内に挿入させることができ、この状態で第１および第２ヒンジ部材５００′，５０５′を水平に相対回動させれば、左右平面部５０７ａ，５０７ａが軸支持孔５０２内に回動自在に保持される。このように構成すれば、軸支持孔５０２と支軸５０７とを上下に位置合わせすることなく支軸５０７を横方向に移動させて軸支持孔５０２内に嵌入させることができるため、外枠に前枠を取り付ける作業が簡単となる。
【０００７】
【特許文献１】特開平１１−１５６０２５号公報
【０００８】
【発明が解決しようとする課題】
しかしながら、この構成の場合は、軸支持孔５０２の導入開口５０３と支軸５０７の左右平面部５０７ａ，５０７ａとが対向する位置まで前枠を揺動させると支軸５０７が軸支持孔５０２から外れ出て、前枠が外れるという問題がある。さらに、軸支持孔５０２の導入開口５０３や支軸５０７に不正操作を行うことで、支軸５０７が軸支持孔５０２から外れ出て、前枠が容易に外されてしまうおそれもある。
【０００９】
本発明は、このような問題に鑑みて成されたものであり、外枠等のベース部材に対して前枠等の開閉部材を容易に装着させることができるとともに、一旦装着した後は、安定したヒンジ接続を行うことができる遊技機のヒンジ機構を提供することを目的とする。
【００１０】
【課題を解決するための手段】
このような目的達成のため、本発明に係る遊技機のヒンジ機構（例えば、実施形態における枠上部ヒンジ機構１００）は、遊技機の側部上下に配設されて開閉部材（例えば、実施形態における前枠２）をベース部材（例えば、実施形態における外枠１）に対して揺動開閉自在にヒンジ接続させる上下一対のヒンジ機構における一方のヒンジ機構であって、開閉部材に固設された上方に突出する軸部を有する第１ヒンジ部材（例えば、実施形態における枠上部揺動金具１１０）と、ベース部材に固設され、前方へ水平に突出する第１板状部（例えば、実施形態における第１固定側板状部１２５）と、第１板状部の前端部から下方へ段差状に折り曲げられて前方へ水平に突出する第２板状部（例えば、実施形態における第２固定側板状部１３１）とを有する第２ヒンジ部材（例えば、実施形態における枠上部固定金具１２０）と、一端側が第１板状部の下方に位置するとともに、他端側が一端から前方に延びて第２板状部の後端壁部に形成された通過孔を通過し第２板状部の上方に位置するように形成され、一端が第１板状部の下方に、他端と軸部とが係合可能な軸係合位置と、他端と軸部との係合を解除する非軸係合位置とに揺動可能に連結された揺動部材と、揺動部材を軸係合位置に向けて付勢する付勢手段（例えば、実施形態における部材付勢バネ１７０）と、揺動部材が軸係合位置に位置するときに揺動部材の揺動を規制可能なロック部材（例えば、実施形態におけるロックピン１６０）と、第２板状部の上方を覆うカバー部材（例えば、実施形態における飾り部材１４０）とを備えて構成される。
【００１１】
そして、第２板状部に軸部と係合する軸孔とこの軸孔に繋がって後方に延びたガイド孔が形成されるとともに、第２板状部の後端壁部に軸部および揺動部材が通過可能な通過孔がガイド孔に繋がって形成され、揺動部材の他端に軸部と係合可能な軸係合部が形成されるとともに、揺動部材の一側部にガイド部が軸係合部に繋がって後方に延びて形成されており、軸部を第２板状部の後方に位置させると軸部がガイド部に当接し、揺動部材が軸部に押圧されて非軸係合位置に位置する状態で、軸部をガイド部に沿って前方に移動させると軸部が通過孔およびガイド孔に導かれ、軸部がガイド孔を通過して軸孔に位置すると揺動部材が付勢手段の付勢力を受けて軸係合位置に揺動し軸係合部が軸部と係合することで、揺動部材により軸部のガイド孔への移動が規制された状態で軸部が軸孔と係合するとともに、軸係合部が軸部と係合した状態でロック部材により揺動部材の揺動が規制可能に構成される。
【００１２】
このような構成の遊技機のヒンジ機構によれば、軸部を第２板状部の後方に位置させると軸部がガイド部に当接し、揺動部材が軸部に押圧されて非軸係合位置に位置する状態で、軸部をガイド部に沿って前方に移動させると軸部が通過孔およびガイド孔に導かれ、軸部がガイド孔を通過して軸孔に位置すると揺動部材が付勢手段の付勢力を受けて軸係合位置に揺動し軸係合部が軸部と係合することで、揺動部材により軸部のガイド孔への移動が規制された状態で軸部が軸孔と係合するため、ベース部材に対して開閉部材を容易に装着させることができるとともに、一旦装着した後は、安定したヒンジ接続を行うことができる。
【００１３】
また、軸係合部が軸部と係合した状態でロック部材により揺動部材の軸係合位置での揺動が規制されるため、揺動部材の揺動により軸係合部と軸部との係合が解除されることがなく、より安定したヒンジ接続を行うことができる。さらに、カバー部材により軸部や揺動部材が外部から見て覆われた状態となるため、パチンコ機の美感が向上するとともに、軸部や揺動部材等に対する不正行為の抑止が期待できる。
【００１４】
【発明の実施の形態】
以下、本発明の好ましい実施形態について図面を参照しながら説明する。本発明に係るヒンジ機構を備えた遊技機の代表例としてパチンコ機ＰＭを図１および図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１５】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設された枠上部ヒンジ機構１００および枠下部ヒンジ機構２００で揺動（横開き）開閉および着脱が可能に取り付けられ、正面右側に設けられたダブル錠と称される施錠装置４を利用して常には外枠１と係合された閉鎖状態に保持される。
【００１６】
前枠２の上部前面側には、前枠２の上部前面域に合わせた方形状のガラス扉５が正面左側に設けられた扉上部ヒンジ機構５０および中間ヒンジ機構７０を利用して揺動（横開き）開閉および着脱可能に組付けられ、正面右側の施錠装置４により前枠２の上部前面を覆う閉鎖状態に保持される。
【００１７】
前枠２の下部前面側には、前枠２の下部前面域に合わせた方形状の球皿６が正面左側に設けられた中間ヒンジ機構７０および球皿下部ヒンジ機構９０を利用して揺動（横開き）開閉および着脱可能に組付けられ、正面右側の詳細図示省略するロック機構により前枠２の下部前面を覆う閉鎖状態に保持される。球皿６の右側下部には遊技球の発射操作を行う操作ハンドル８が取り付けられている。
【００１８】
前枠２の中央部から上部にかけて方形枠状の収容枠２ａ（図１５を参照）が凹設されており、この収容枠に設けられた複数のレバーＬ１，…（図１５を参照）を利用して遊技盤１０が着脱可能にセット保持され、常には閉鎖保持されるガラス扉５の背後に位置して正面の遊技領域ＰＡを遊技者に臨ませている。
【００１９】
前枠２の裏面側には、中央に前後連通する窓口を有して前枠２よりもやや小型の方形枠状に形成された裏セット盤３０が、前枠２の裏面に設けられた複数のレバーＬ２，Ｌ２…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板３７や主制御基板３８等の各種回路基盤および電子部品等が取り付けられ、これらの各機器および遊技盤１０の裏面に取り付けられた画像制御基板１８が図示省略するワイヤーハーネスで接続されている。
【００２０】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００２１】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００２２】
以上のように概要構成されるパチンコ機ＰＭにあって、前述したように、枠上部ヒンジ機構１００および枠下部ヒンジ機構２００により前枠２が外枠１に揺動（横開き）開閉および着脱可能に取り付けられ、また、扉上部ヒンジ機構５０および中間ヒンジ機構７０によりガラス扉５が前枠２に揺動（横開き）開閉および着脱可能に取り付けられている。以下、これらの各ヒンジ機構について図を追加参照しながら説明する。
【００２３】
まず、図３〜図１０を参照しつつ、枠上部ヒンジ機構１００について説明する。ここで、図３は枠上部ヒンジ機構１００の分解斜視図、図４は枠上部ヒンジ機構１００の分解正面図（部分断面図）、図５は枠上部ヒンジ機構１００の分解平面図（部分断面図）、図６は枠上部ヒンジ機構１００を外枠側と前枠側とに分離した状態を示す平面図、図７は枠上部ヒンジ機構１００の側面図（部分断面図）、図８は枠上部ヒンジ機構１００に構成される枠上部揺動金具１１０と枠上部固定金具１２０との連結開始状態を示す平面図（部分断面図）、図９は枠上部揺動金具１１０の軸部１１３が枠上部固定金具１２０のガイド孔１３３に導かれた状態を示す平面図（部分断面図）、そして図１０は枠上部揺動金具１１０と枠上部固定金具１２０との連結過程を（ａ）（ｂ）の順に時系列で表す説明図（側断面図）である。
【００２４】
枠上部ヒンジ機構１００は、図３〜図５に示すように、前枠２の左側上部に固設された枠上部揺動金具１１０と、外枠１の左側上部に固設されて枠上部揺動金具１１０とヒンジ接続される枠上部固定金具１２０と、枠上部固定金具１２０に取り付けられた飾り部材１４０と、枠上部固定金具１２０に揺動（旋回）可能に取り付けられた揺動部材１５０と、揺動部材１５０の揺動を規制可能なロックピン１６０と、揺動部材１６０を反時計回りに向けて付勢する部材付勢バネ１７０と、部材付勢バネ１７０の一端が係止するバネ係止ピン１７５とを主体に構成される。
【００２５】
枠上部揺動金具１１０は、前枠２の裏面側に固定される揺動側基部１１１と、この揺動側基部１１１から直角に折り曲げられて前方に水平に突出する揺動側板状部１１２とを主体に構成され、所定板厚の鋼板を打ち抜きおよび曲げ形成して図示する形状に形成される。揺動側基部１１１には複数の固定孔１１１ａ，…が孔開け形成されており、リベットやネジ等の締結手段をこれら複数の固定孔１１１ａ，…に通過させて前枠２へ締結固定させることで、揺動側基部１１１すなわち枠上部揺動金具１１０が前枠２の左側上部裏面側に固設される。
【００２６】
揺動側板状部１１２の前端部近傍には、上方に突出する軸部１１３がカシメ締結により固着されており、枠上部揺動金具１１０と枠上部固定金具１２０とがヒンジ接続された状態で、軸部１１３を揺動軸として前枠２が外枠１に対して揺動するように構成される。軸部１１３の上端部には、面取り１１３ａが形成されている。
【００２７】
揺動側板状部１１２の中央部には、枠側取付軸孔１１４が孔開け形成されており、図７に示すように、扉上部ヒンジ機構５０の取付軸６１が嵌合するようになっている。揺動側板状部１１２の下面側には、図５および図７に示すように、軸ガイド溝１１５が揺動側板状部１１２の前端部から枠側取付軸孔１１４まで繋がって形成されており、取付軸６１の一端が枠側取付軸孔１１４へ導かれるようになっている。これにより、扉上部ヒンジ機構５０の取付軸６１を容易に枠側取付軸孔１１４と嵌合させることができる。なお、扉上部ヒンジ機構５０および取付軸６１については後述する。
【００２８】
揺動側板状部１１２の右方には、規制ピン取付孔１１６がネジ溝を有して形成されており、この規制ピン取付孔１１６に開放角度規制ピン１１９が取り付けられるようになっている。なお、開放角度規制ピン１１９については後述する。
【００２９】
枠上部固定金具１２０は、外枠１の左上面および左側面に固定される固定側基部１２１と、この固定側基部１２１から前方へ水平に突出する第１固定側板状部１２５と、第１固定側板状部１２５の前端部から下方へ段差状に折り曲げられて前方へ水平に突出する第２固定側板状部１３１を主体に構成され、所定板厚の鋼板を打ち抜きおよび曲げ形成して図示する形状に形成される。固定側基部１２１には複数の固定孔１２２，…が孔開け形成されており、リベットやネジ等の締結手段をこれら複数の固定孔１２２，…に通過させて外枠１へ締結固定させることで、固定側基部１２１すなわち枠上部固定金具１２０が外枠１の左上面および左側面に固設される。
【００３０】
第１固定側板状部１２５の中央部後方には、揺動部材取付孔１２６が孔あけ形成されており、揺動部材１５０が揺動可能に取り付けられるようになっている。第１固定側板状部１２５の左端部前方には、ロックピン取付孔１２７がネジ溝（図示せず）を有して孔あけ形成されており、ロックピン１６０が取り付けられるようになっている。第１固定側板状部１２５の左端部後方には、係止ピン取付孔１２８が孔あけ形成されており、バネ係止ピン１７５が取り付けられるようになっている。
【００３１】
第２固定側板状部１３１の前端部近傍には、枠上部揺動金具１１０の軸部１１３より僅かに大きい径を有する軸孔１３２が孔開け形成されており、軸部１１３と係合するように構成されている。これにより、枠上部揺動金具１１０の軸部１１３が枠上部固定金具１２０の軸孔１３２に位置して係合することで、枠上部揺動金具１１０と枠上部固定金具１２０とがヒンジ接続され、軸部１１３を揺動軸として前枠２が外枠１に対して揺動可能になる。
【００３２】
第２固定側板状部１３１の後部には、軸孔１３２に繋がるガイド孔１３３が後方へ延びて形成されている。ガイド孔１３３は、軸孔１３２から後方に向かうにつれて幅が広がるとともに、第２固定側板状部１３３の後端部まで延びて形成され、ガイド孔１３３に達した枠上部揺動金具１１０の軸部１１３が軸孔１３２へ導かれるようになっている。
【００３３】
第２固定側板状部１３１の左右には、飾り部材１４０を取り付けるための飾り部材取付孔１３４，１３４が孔開け形成されおり、図４に示すように、飾り部材１４０を第２固定側板状部１３１に取り付けるための皿ネジ１４９の頭部に合わせた形状となっている。
【００３４】
第２固定側板状部１３１の後端部には、第１固定側板状部１２５の前端部に繋がる壁部１３５が形成されている。壁部１３５の中央部には、ガイド孔１３３に繋がる通過孔１３６が上方および左方へ延びて形成されており、揺動部材１５０が揺動可能に通過するとともに、枠上部揺動金具１１０の軸部１１３を、壁部１３５と、壁部１３５（第２固定側板状部１３１）の後方に位置する外枠１との間に位置させて通過孔１３６に通過させると、軸部１１３がガイド孔１３３および軸孔１３２に達するようになっている。なお、加工容易化のため、通過孔１３６は第１固定側板状部１２５の前端部まで延びて形成されている。
【００３５】
なお、図６および図７に示すように、枠上部固定金具１２０が固設される外枠１の左上部下面側には切り欠き部１３９が形成されており、枠上部揺動金具１１０と枠上部固定金具１２０とをヒンジ接続させるときに、枠上部揺動金具１１０が外枠１と干渉しないようになっている。
【００３６】
飾り部材１４０は、ポリカーボネート（ＰＣ）やポリアセタール（ＰＯＭ）等の硬質樹脂材料を用いて射出成形等の成形手段により箱状に一体的に形成され、図７に示すように、枠上部固定金具１２０における第２固定側板状部１３１の上方を覆うように構成される。これにより、枠上部揺動金具１１０の軸部１１３や、枠上部固定金具１２０の軸孔１３２およびガイド孔１３３、そして揺動部材１５０が外部から見て飾り部材１４０に覆われた状態となり、パチンコ機ＰＭの美感が向上するとともに、軸部１１３や揺動部材１５０等に対する不正行為の抑止が期待できる。
【００３７】
なお、図３および図５の二点鎖線で示すように、飾り部材１４０の上部が第１固定側板状部１２５の上面を覆うように後方へ延びて形成されてもよい。このようにすれば、第１固定側板状部１２５の前端部まで延びて形成された壁部１３５の通過孔１３６を塞ぐことが可能になるため、パチンコ機ＰＭの美感がより向上するとともに、軸部１１３や揺動部材１５０等に対する不正行為の抑止が期待できる。
【００３８】
飾り部材１４０の左右には、飾り部材取付部１４１，１４１が取付孔１４１ａ，１４１ａを有して形成されており、皿ネジ１４９を第２固定側板状部１３１の下方から第２固定側板状部１３１の飾り部材取付孔１３４に通過させて、飾り部材取付部１４１，１４１にそれぞれネジ固定することで、飾り部材１４０が第２固定側板状部１３１に取り付けられるようになっている。
【００３９】
飾り部材１４０の後側部には、逃げ孔部１４２が壁部１３５における通過孔１３６の形状に合わせて形成されており、揺動部材１５０が揺動可能に通過するとともに、枠上部揺動金具１１０の軸部１１３が通過するように構成されている。
【００４０】
飾り部材１４０の前端部近傍には、枠上部揺動金具１１０の軸部１１３と当接する軸受け部１４３が形成されている。軸受け部１４３は、枠上部固定金具１２０における軸孔１３２の形状に合わせた半円弧状に形成され、軸受け部１４３の最大内幅である軸受け幅Ｗ１（図５を参照）は、軸部１１３の径より僅かに大きくなっている。そして、図１０（ｂ）に示すように、軸部１１３が枠上部固定金具１２０の軸孔１３２と係合すると軸部１１３の前側部と当接し、軸部１１３の側前方にかかる荷重を受け止めるようになっている。これにより、軸部１１３の前側部をより安定した状態で保持することができる。
【００４１】
飾り部材１４０の内側上部には、棒状の上動防止部１４４が下方へ突出して形成されており、図１０（ｂ）に示すように、枠上部揺動金具１１０の軸部１１３が枠上部固定金具１２０の軸孔１３２と係合すると軸部１１３の上部に位置し、軸部１１３の外枠１に対する上動を規制するように構成されている。これにより、軸部１１３が軸孔１３２と係合した状態で、軸部１１３、すなわち前枠２の外枠１に対する上動が規制されるため、前枠２を無理に上動させて枠下部ヒンジ機構２００に構成される枠下部揺動金具２２０と枠下部固定金具２１０とを不正に分離し、前枠２が外枠１から不正に外されることを防止することができる。
【００４２】
揺動部材１５０は、金属材料を用いて図示する形状に切り出し形成され、枠上部揺動金具１１０の軸部１１３と係合可能な軸係合位置（図１２を参照）と、軸部１１３との係合を解除する非軸係合位置（図９を参照）とに揺動（旋回）可能に構成される。なお、本実施形態における揺動部材１５０は、図８に示すように、先端が飾り部材１４０の軸受け部１４３に当接する位置まで、軸係合位置よりもさらに反時計回りに揺動（旋回）可能になっている。
【００４３】
揺動部材１５０の一端には、揺動部材軸部１５１が上方へ突出して形成されている。揺動部材軸部１５１の基端側は、部材付勢バネ１７０の内径より僅かに小さい径を有しており、部材付勢バネ１７０が取り付けられるようになっている。揺動部材軸部１５１の先端側は、第１固定側板状部１２５の揺動部材取付孔１２６より僅かに小さい径を有しており、揺動部材軸部１５１の先端側を揺動部材取付孔１２６に通過させてカシメ加工を施すことにより、一端側が第１固定側板状部１２５の下方に位置するとともに、他端側が壁部１３５の通過孔１３６を通過して第２固定側板状部１３１の上方に位置する状態で、揺動部材１５０が揺動部材軸部１５１を揺動軸として第１固定側板状部１２５に揺動可能に取り付けられる。
【００４４】
揺動部材１５０の他端には、枠上部揺動金具１１０の軸部１１３と係合可能な軸係合部１５２が形成されている。軸係合部１５２は、軸部１１３の形状に合わせた円弧状に形成され、図１２に示すように、軸部１１３が枠上部固定金具１２０の軸孔１３２に位置するときに軸部１１３と係合し、軸部１１３の側後方にかかる荷重を受け止めるとともに、軸部１１３の後方への移動、すなわち、軸部１１３の枠上部固定金具１２０におけるガイド孔１３３への移動を規制するように構成される。
【００４５】
これにより、枠上部揺動金具１１０の軸部１１３が枠上部固定金具１２０の軸孔１３２と係合した状態で、軸部１１３と係合した軸係合部１５２により軸部１１３のガイド孔１３３への移動が規制されるため、枠上部揺動金具１１０の軸部１１３を枠上部固定金具１２０の軸孔１３２と係合させて、一旦前枠２を外枠１に揺動開閉自在に装着した後は、枠上部揺動金具１１０と枠上部固定金具１２０とによる不正操作され難く安定したヒンジ接続を行うことができる。さらに、軸係合部１５２が軸部１１３の形状に合わせた円弧状に形成されているため、軸部１１３を中心軸とした前枠２の揺動を円滑に行うことができる。
【００４６】
揺動部材１５０の右側部には、軸係合部１５２と繋がるガイド部１５３が形成されている。ガイド部１５３は、軸係合部１５２から繋がって後方へ延びて形成されており、揺動部材１５０が非軸係合位置に位置する状態で、壁部１３５における通加孔１３６の右端部とガイド部１５３との間を枠上部揺動金具１１０の軸部１１３が通過可能に構成される。
【００４７】
そして、軸部１１３を第２固定側板状部１３１の後方に位置させると軸部１１３がガイド部１５３に当接し、揺動部材１５０が軸部１１３に押圧されて非軸係合位置に位置する状態で、軸部１１３をガイド部１５３に沿って前方に移動させると軸部１１３が枠上部固定金具１２０の通過孔１３５を通過してガイド孔１３３に導かれるようになっている。これにより、枠上部揺動金具１１０と枠上部固定金具１２０とを容易にヒンジ接続させることができる。
【００４８】
なお、揺動部材１５０が非軸係合位置に位置する状態で、壁部１３５における通加孔１３６の右端部とガイド部１５３との間の幅である軸導入幅Ｗ２（図９を参照）は、枠上部揺動金具１１０の軸部１１３の径より若干大きくなっている。
【００４９】
揺動部材１５０の中央部にはバネ係止孔１５４が孔あけ形成されており、部材付勢バネ１７０の他端が係止するように構成されている。揺動部材１５０の左側部にはロック片当接部１５５が形成されており、ロックピン１６０のロック片部１６３が当接するようになっている。また、ロック片当接部１５５の他端（前端）は、揺動部材１５０が非軸係合位置に揺動すると左側の飾り部材取付部１４１に当接し、揺動部材１５０の時計回りへの揺動を規制するようになっている。
【００５０】
ロックピン１６０は、金属材料を用いて上端側部にネジ溝１６１を有する棒状に切り出し形成され、第１固定側板状部１２５の下方からネジ溝１６１をロックピン取付孔１２７にネジ固定することにより、図１０に示すように、第１固定側板状部１２５の左端部前方に下方へ突出するように取り付けられる。
【００５１】
ロックピン１６０の周部には、揺動部材１５０が軸係合位置に位置するときに揺動部材１５０の揺動を規制するロック片部１６３が形成されている。ロック片部１６３は、ロックピン１６０の周部から垂直に突出して形成され、図１２に示すように、揺動部材１５０が軸係合位置に位置するときに、ロックピン１６０をネジ回転させてロック片部１６３を右方へ揺動させると揺動部材１５０のロック片当接部１５５に当接し、揺動部材１５０の非軸係合位置へのスライド移動を規制するように構成される。
【００５２】
これにより、揺動部材１５０の軸係合位置での揺動が規制されるため、揺動部材１５０が容易に揺動操作されて揺動部材１５０の軸係合部１５２と枠上部揺動金具１１０の軸部１１３との係合が解除されることを防止することができる。なお、揺動部材１５０を揺動させるときには、図８および図９に示すように、ロック片部１６３を左方へ揺動させて揺動部材１５０のロック片当接部１５５から離脱させればよい。
【００５３】
ロックピン１６０の上部には、ドライバ等の工具と係合可能な十字溝１６２が形成されており、ドライバ等の工具を十字溝１６２に係合させて回転させることで、ロックピン１６０をネジ回転させることができるようになっている。これにより、ロックピン１６０をドライバ等の工具のみを用いてネジ回転させることが可能となるため、揺動部材１５０が容易に揺動操作されることをより確実に防止することができる。なお、十字溝１６２に限らず、六角穴等の各種工具と係合可能な溝（穴）であればよい。
【００５４】
バネ係止ピン１７５は、金属材料を用いて棒状に切り出し形成され、第１固定側板状部１２５の下方から係止ピン取付孔１２８に圧入することにより、第１固定側板状部１２５の左端部後方に下方へ突出するように取り付けられる。そして、バネ係止ピン１７５の周部に、部材付勢バネ１７０の一端が係止するようになっている。
【００５５】
部材付勢バネ１７０は、金属線材から切断および曲げ加工により形成されたねじりコイルバネであり、揺動部材１５０における揺動部材軸部１５１の基端部に取り付けられる。そして、部材付勢バネ１７０の一端がバネ係止ピン１７５の周部に係止するとともに、部材付勢バネ１７０の他端が揺動部材１５０のバネ係止孔１５４に係止することで、部材付勢バネ１７０により揺動部材１５０が反時計回り、すなわち、非軸係合位置から軸係合位置に向けて付勢されるようになっている。
【００５６】
次に、枠下部ヒンジ機構２００について図１３を参照して説明する。ここで、図１３は、枠下部ヒンジ機構２００の分解斜視図である。枠下部ヒンジ機構２００は、外枠１の左側下部に固設された枠下部固定金具２１０と、前枠２の左側下部に固設されて枠下部固定金具２１０とヒンジ接続される枠下部揺動金具２２０とを主体に構成される。
【００５７】
枠下部固定金具２１０は、外枠１の左側下部に固定される固定側基部２１１と、この固定側基部２１１が直角に折り曲げられて前方に水平に突出する固定側板状部２１２とを主体に構成され、所定板厚の鋼板を打ち抜きおよび曲げ成形して図示する形状に形成される。固定側基部２１１には複数の固定孔２１１ａ，…が孔開け形成されており、リベットやネジ等の締結手段をこれら複数の固定孔２１１ａ，…に通過させて外枠１へ締結固定させることで、固定側基部２１１すなわち枠下部固定金具２１０が外枠１の左側下部内側に固設される。
【００５８】
固定側板状部２１２の前端部近傍には、上方に突出する支軸２１５が固着されており、枠下部固定金具２１０と枠下部揺動金具２２０とがヒンジ接続された状態で、支軸２１５を揺動軸として前枠２が外枠１に対して揺動するように構成される。支軸２１５の上端部は円錐状に形成されており、後述する軸支持孔２２５との嵌合を容易化している。なお、支軸２１５の長さは、枠上部ヒンジ機構１００における軸部１１３の長さより長いことが好ましい。このようにすれば、枠上部ヒンジ機構１００における軸部１１３と軸孔１２３との係合時に支軸２１５が軸支持孔２２５から抜けにくくなるため、枠上部ヒンジ機構１００の軸部１１３と軸孔１２３とを容易に係合させることができる。
【００５９】
枠下部揺動金具２２０は、前枠２の裏面側に固定される揺動側基部２２１と、この揺動側基部２２１から直角に折り曲げられて前方に水平に突出する揺動側板状部２２２とを主体に構成され、所定板厚の鋼板を打ち抜きおよび曲げ成形して図示する形状に形成される。揺動側基部２２１には複数の固定孔２２１ａ，…が孔開け形成されており、リベットやネジ等の締結手段をこれら複数の固定孔２２１ａ，…に通過させて前枠２へ締結固定させることで、揺動側基部２２１すなわち枠下部揺動金具２２０が前枠２の裏面側に固設される。
【００６０】
揺動側板状部２２２の前端部近傍には、枠下部固定金具２１０の支軸２１５より僅かに大きい径を有する軸支持孔２２５が孔開け形成されており、支軸２１５と嵌合するように構成されている。これにより、枠下部揺動金具２２０の軸支持孔２２５が枠下部固定金具２１０の支軸２１５と嵌合することで、枠下部揺動金具２２０と枠下部固定金具２１０とがヒンジ接続され、支軸２１５を揺動軸として前枠２が外枠１に対して揺動可能になる。
【００６１】
以上のように構成される枠上部ヒンジ機構１００および枠下部ヒンジ機構２００のヒンジ接続について、さらに図８〜図１０および図１２〜図１３を参照して説明する。ここで、図１２は枠上部ヒンジ機構１００および扉上部ヒンジ機構５０の平面拡大図（部分断面図）である。
【００６２】
外枠１と前枠２とが分離した状態から、枠上部ヒンジ機構１００および枠下部ヒンジ機構２００により前枠２を外枠１に揺動（横開き）開閉および着脱可能に取り付けるには、まず、枠下部ヒンジ機構２００において、枠下部ヒンジ機構２００に構成される枠下部揺動金具２２０と枠下部固定金具２１０とをヒンジ接続させる。
【００６３】
枠下部揺動金具２２０と枠下部固定金具２１０とをヒンジ接続させるには、まず、枠下部揺動金具２２０を接続枠下部固定金具２１０の上方に位置させて、枠下部固定金具２１０の支軸２１５に対し枠下部揺動金具２２０の軸支持孔２２５を同軸上に位置決めする。
【００６４】
そして、前枠２を下動させ、支軸２１５と軸支持孔２２５とを嵌合させることにより、固定側板状部２１２で揺動側板状部２２２が支持された状態（すなわち、前枠２が支持された状態）で枠下部揺動金具２２０と枠下部固定金具２１０とがヒンジ接続され、支軸２１５を揺動軸として前枠２が外枠１に対して揺動可能になる。なお、枠下部ヒンジ構造２００における前枠２の外枠１に対する揺動軸は、枠上部ヒンジ機構１００における前枠２の外枠１に対する揺動軸と共通になっている。
【００６５】
次に、枠上部ヒンジ機構１００において、枠上部ヒンジ機構１００に構成される枠上部揺動金具１１０と枠上部固定金具１２０とをヒンジ接続させる。枠上部揺動金具１１０と枠上部固定金具１２０とをヒンジ接続させるには、まず、前枠２を傾動させて枠上部揺動金具１１０を枠上部固定金具１２０の右側方から接近させ、図８に示すように、枠上部揺動金具１１０の軸部１１３を枠上部固定金具１２０の壁部１３５と外枠１との間に位置させる。このとき、軸部１１３は揺動部材１５０のガイド部１５３に当接する。
【００６６】
次に、前枠２を左方へ動かなくなるまで傾動させると、図９および図１０（ａ）に示すように、揺動部材１５０が軸部１１３に押圧されて非軸係合位置に揺動（旋回）するとともに、軸部１１３が壁部１３５における通過孔１３６の後方に位置する。続いて、前枠２を直立方向に傾動させて、軸部１１３をガイド部１５３に沿って前方に移動させると、図９の二点鎖線で示すように、軸部１１３が通過孔１３５および飾り部材１４０の逃げ孔部１４２を通過して第２固定側板状部１３１のガイド孔１３３に導かれる。
【００６７】
そして、さらに前枠２を直立方向に傾動させると、軸部１１３はガイド孔１３３を通過して第２固定側板状部１３１の軸孔１３２に位置し、軸部１１３は軸孔１３２と係合する。このとき、図１０（ｂ）および図１２に示すように、揺動部材１５０が部材付勢バネ１７０の付勢力を受けて軸係合位置に揺動（旋回）し、揺動部材１５０の軸係合部１５２が軸部１１３と係合する。このようにして、揺動部材１５０の軸係合部１５２により軸部１１３のガイド孔１３２への移動が規制された状態で１１３軸部が軸孔１３２と係合するため、外枠１に対して前枠２を容易に装着させることができるとともに、一旦装着した後は、枠上部揺動金具１１０と枠上部固定金具１２０とによる安定したヒンジ接続を行うことができる。
【００６８】
さらに、図１２に示すように、ロックピン１６０を時計回りにネジ回転させてロックピン１６０のロック片部１６３を揺動部材１５０のロック片当接部１５５に当接させ、揺動部材１５０の非軸係合位置への揺動（旋回）を規制すれば、軸部１１３と軸係合部１５２との係合がより確実となる。これにより、揺動部材１５０の軸係合位置での揺動（旋回）が規制されるため、揺動部材１５０の揺動（旋回）により軸係合部１５２と軸部１１３との係合が解除されることがなく、枠上部揺動金具１１０と枠上部固定金具１２０とによるより安定したヒンジ接続を行うことができる。また、揺動部材１５０が容易に揺動操作されて軸係合部１５２と軸部１１３との係合が解除されることを防止することができる。
【００６９】
この結果、枠上部揺動金具１１０の軸部１１３が枠上部固定金具１２０の軸孔１３２および揺動部材１５０の軸係合部１５２と係合して軸部１１３の側部が保持された状態で、枠上部揺動金具１１０と枠上部固定金具１２０とがヒンジ接続され、軸部１１３を揺動軸として前枠２が外枠１に対して揺動可能になる。なお、前述したように、枠上部ヒンジ機構１００における前枠２の外枠１に対する揺動軸は、枠下部ヒンジ構造２００における前枠２の外枠１に対する揺動軸と共通になっている。
【００７０】
なお、前枠２を外枠１から取り外すには、まず、枠上部ヒンジ機構１００において枠上部揺動金具１１０と枠上部固定金具１２０とを分離し、次に、枠下部ヒンジ機構２００において枠下部ヒンジ機構２００に構成される枠下部揺動金具２２０と枠下部固定金具２１０とを分離すればよい。
【００７１】
枠上部揺動金具１１０と枠上部固定金具１２０とを分離するには、まず、ロックピン１６０を反時計回りにネジ回転させてロックピン１６０のロック片部１６３を揺動部材１５０のロック片当接部１５５から離脱させ、揺動部材１５０の非軸係合位置への揺動を可能にする。そして、揺動部材１５０を非軸係合位置へ揺動させ、前枠２を後方に傾動させればよい。
【００７２】
次に、扉上部ヒンジ機構５０について図１１および図１２を参照して説明する。ここで、図１１は扉上部ヒンジ機構５０の正面図（部分断面図）、図１２は枠上部ヒンジ機構１００および扉上部ヒンジ機構５０の平面拡大図（部分断面図）である。
【００７３】
扉上部ヒンジ機構５０は、図３にも示すように、前枠２の左側上部に固設された固定金具としての枠上部揺動金具１１０と、ガラス扉５の左側上部に固設されて枠上部揺動金具１１０とヒンジ接続される扉側揺動金具５１と、枠上部揺動金具１１０と扉側揺動金具５１とをヒンジ接続するための取付軸６１と、取付軸６１を上方に向けて付勢する軸付勢バネ６２とを主体に構成される。
【００７４】
扉側揺動金具５１は、前枠２の裏面側に固定される扉側基部５２と、この扉側基部５２の上下で直角に折り曲げられて前方に水平に突出する扉側板状部５３ａ，５３ｂとを主体に構成され、所定板厚の鋼板を打ち抜きおよび曲げ形成して図示する形状に形成される。なお、詳細図示しないが、扉側揺動金具５１は、ガラス扉５の左端部裏面側に固設された補強板金５９（図１５を参照）の上端部に繋がって形成されている。
【００７５】
扉側基部５２には複数の固定孔５２ａ，…が孔開け形成されており、リベットやネジ等の締結手段をこれら複数の固定孔５２ａ，…に通過させてガラス扉５へ締結固定させることで、扉側基部５２すなわち扉側揺動金具５１がガラス扉５の左側上部裏面側に固設される。なお、扉側揺動金具５１は、補強板金５９と別体にガラス扉５の左側上部裏面側に固設されてもよい。
【００７６】
また、扉側基部５２の側部には、ピン当接部５５が扉側基部５２の側部から直角に折り曲げられて形成されており、枠上部揺動金具１１０に設けられた開放角度規制ピン１１９に当接するようになっている。なお、ピン当接部５５は、補強板金５９と一体にガラス扉５の裏面側に形成されてもよく、また、扉側揺動金具５１や補強板金５９と別体にガラス扉５の裏面側に設けられてもよい。ピン当接部５５を扉側基部５２や補強板金５９と一体に形成することにより、部品点数の削減が可能となり、パチンコ機ＰＭのコストを削減することができる。
【００７７】
扉側板状部５３ａ，５３ｂには、取付軸６１より僅かに大きい径を有する扉側軸孔５４ａ，５４ｂが孔開け形成されており、取付軸６１と嵌合可能に構成されている。
【００７８】
取付軸６１は、金属製の丸棒から切り出しおよび曲げ加工によりＬ字状に成形され、扉側板状部５３ａ，５３ｂの扉側軸孔５４ａ，５４ｂおよび枠上部揺動金具１１０の枠側取付軸孔１１４と嵌合して扉側揺動金具５１と枠上部揺動金具１１０とがヒンジ接続された状態で、取付軸６１を揺動軸としてガラス扉５が前枠２に対して揺動するように構成される。取付軸６１の一端には、面取り６１ａが形成されており、取付軸６１を扉側軸孔５４ａ，５４ｂおよび枠側取付軸孔１１４と嵌合させやすいようになっている。取付軸６１の他端には、操作部６１ｂが取付軸６１の他端で直角に折り曲げられて形成されており、作業者が取付軸６１を操作しやすいようになっている。
【００７９】
取付軸６１の中央部一端側には、リング状のバネ受け部材６３が固着されており、図１１に示すように、軸付勢バネ６２の付勢力を受け止めるとともに、上側の扉側板状部５３ａに当接して取付軸６１の上方への移動を規制するようになっている。さらに、バネ受け部材６３が上側の扉側板状部５３ａに当接すると、図１１に示すように、取付軸６１の一端が上側の扉側板状部５３ａから上方へ突出するようになっている。
【００８０】
軸付勢バネ６２は、金属線材から切断および曲げ加工により形成された圧縮コイルバネであり、図１１に示すように取付軸６１に取り付けられる。そして、軸付勢バネ６２の一端が取付軸６１に固着されたバネ受け部材６３に当接するとともに、軸付勢バネ６２の他端が下側の扉側板状部５３ｂに当接することで、軸付勢バネ６２により取付軸６１が上方に向けて付勢されるようになっている。
【００８１】
そして取付軸６１を、下側の扉側軸孔５４ｂ、軸付勢バネ６２、そして上側の扉側軸孔５４ａの順で通過嵌合させ、この状態で取付軸６１の中央部一端側にバネ受け部材６３を固着させることで、図１１に示すように、軸付勢バネ６２により取付軸６１が上方に向けて付勢され、常には取付軸６１の一端が上側の扉側板状部５３ａから上方へ突出した状態で、取付軸６１が扉側基部５２の扉側板状部５３ａ，５３ｂに上下にスライド移動可能に取り付けられる。
【００８２】
さて、枠上部ヒンジ機構１００の枠上部揺動金具１１０は、扉上部ヒンジ機構５０において、扉側揺動金具５１とヒンジ接続される固定金具としても機能している。そして、前述したように、枠上部揺動金具１１０の揺動側板状部１１２には、枠側取付軸孔１１４が孔開け形成されており、取付軸６１が嵌合するようになっている。
【００８３】
また、揺動側板状部１１２の右側には、所定開放規制角度においてガラス扉５の前枠２に対する開放揺動を規制する開放角度規制ピン１１９が取り付けられている。開放角度規制ピン１１９は、金属材料を用いて一端にネジ溝１１９ａを有する棒状に切り出し形成され、揺動側板状部１１２の下方からネジ溝１１９ａを規制ピン取付孔１１６にネジ固定することにより、図１１に示すように、揺動側板状部１１２の右側に下方に突出するように取り付けられる。
【００８４】
そして、図１１および図１２に示すように、ガラス扉５を前枠２に対して所定開放規制角度まで開放揺動させると、扉側基部５２のピン当接部５５が開放角度規制ピン１１９に当接するようになっている。これにより、前枠２に固設された枠上部揺動金具１１０にガラス扉５の前枠２に対する開放揺動を規制する開放角度規制ピン１１９が設けられるとともに、ガラス扉５に固設された扉側揺動金具５１に開放角度規制ピン１１９と当接するピン当接部５５が設けられているため、パチンコ機ＰＭに別途開放揺動規制装置を設ける必要がなく、ガラス扉５の前枠２に対する開放揺動規制を簡潔低廉に行うことができる。
【００８５】
次に、中間ヒンジ機構７０について図１４を参照して説明する。ここで、図１４は、中間ヒンジ機構７０の分解斜視図である。中間ヒンジ機構７０は、ガラス扉５の左側下部に固設された中間揺動金具７１と、前枠２の左側中央部に固設されて中間揺動金具７１とヒンジ接続される中間固定金具８１とを主体に構成される。
【００８６】
中間揺動金具７１は、前枠２の左側下部に固定される揺動側基部７２と、この揺動側基部７２が直角に折り曲げられて前方に水平に突出する揺動側板状部７３とを主体に構成され、所定板厚の鋼板を打ち抜きおよび曲げ成形して図示する形状に形成される。揺動側基部７２には複数の固定孔（図示せず）が孔開け形成されており、リベットやネジ等の締結手段をこれら複数の固定孔（図示せず）に通過させて前枠２の裏面側に固設される補強板金７９とともに前枠２へ締結固定させることで、揺動側基部７２すなわち中間揺動金具７１が前枠２の左側下部裏面側に固設される。
【００８７】
揺動側板状部７３の左端部（図１４における右端部）には、中間固定金具８１の両頭ピン８４より僅かに大きい径を有するピン孔７４が孔開け形成されており、両頭ピン８４の上側と嵌合するように構成されている。また、揺動側板状部７３の揺動側基部７２を挟んだ反対側には、侵入防止部７５が板状に形成されており、針金やセル板等の異物が遊技盤１０の表面側に入り込みにくくなっている。これにより、パチンコ機ＰＭにおける遊技盤１０等への不正行為を防止することができる。
【００８８】
中間固定金具８１は、前枠２の左側中央部に固定される固定側基部８２と、この固定側基部８２から直角に折り曲げられて前方に水平に突出する固定側板状部８３とを主体に構成され、所定板厚の鋼板を打ち抜きおよび曲げ成形して図示する形状に形成される。固定側基部８２には複数の固定孔８２ａ，…が孔開け形成されており、リベットやネジ等の締結手段をこれら複数の固定孔８２ａ，…に通過させて前枠２へ締結固定させることで、固定側基部８２すなわち中間固定金具８１が前枠２の左側中央部に固設される。
【００８９】
固定側板状部８２の前端部近傍には、上下方向に突出する両頭ピン８４が固着されており、中間揺動金具７１と中間固定金具８１とがヒンジ接続された状態で、両頭ピン８４を揺動軸としてガラス扉５が前枠２に対して揺動するように構成される。両頭ピン８４の両端部は円錐状に形成されており、ピン孔７４との嵌合を容易化している。また、上側の両頭ピン８４の基端部にはヒンジ部材受け部８５が形成されており、中間揺動金具７１を支持するようになっている。
【００９０】
以上のように構成される扉上部ヒンジ機構５０および中間ヒンジ機構７０のヒンジ接続について説明する。前枠２とガラス扉５とが分離した状態から、扉上部ヒンジ機構５０および中間ヒンジ機構７０によりガラス扉５を前枠２に揺動（横開き）開閉および着脱可能に取り付けるには、まず、中間ヒンジ機構７０において、中間ヒンジ機構７０に構成される中間揺動金具７０と中間固定金具８１とをヒンジ接続させる。
【００９１】
中間揺動金具７１と中間固定金具８１とをヒンジ接続させるには、まず、中間揺動金具７１を中間固定金具８１の上方に位置させて、中間固定金具８１の両頭ピン８４に対し中間揺動金具７１のピン孔７４を同軸上に位置決めする。
【００９２】
そして、ガラス扉５を下動させ、ピン孔７４と両頭ピン８４の上側とを嵌合させることにより、中間固定金具８１のヒンジ部材受け部８５で中間揺動金具７１が支持された状態（すなわち、ガラス扉５が支持された状態）で中間揺動金具７１と中間固定金具８１とがヒンジ接続され、両頭ピン８４を揺動軸としてガラス扉５が前枠２に対して揺動可能になる。なお、中間ヒンジ機構７０におけるガラス扉５の前枠２に対する揺動軸は、扉上部ヒンジ機構５０におけるガラス扉５の前枠２に対する揺動軸と共通になっている。
【００９３】
次に、扉上部ヒンジ機構５０において、扉上部ヒンジ機構５０に構成される扉側揺動金具５１と枠上部揺動金具１１０とをヒンジ接続させる。扉側揺動金具５１と枠上部揺動金具１１０とをヒンジ接続させるには、まず、取付軸６１を下方にスライド移動させて取付軸６１の一端を上側の扉側板状部５３ａから僅かに上方へ突出させた状態で、扉側揺動金具５１を枠上部揺動金具１１０の下方に位置させる。
【００９４】
そして、軸付勢バネ６２の付勢力により取付軸６１を上方にスライド移動させて取付軸６１の一端を枠上部揺動金具１１０の軸ガイド溝１１５に当接させ、この状態で前枠２を直立方向に傾動させると、取付軸６１の一端が軸ガイド溝１１５に導かれて枠上部揺動金具１１０の枠側取付軸孔１１４に位置し、取付軸６１が上方にスライド移動して枠側取付軸孔１１４と係合する。
【００９５】
このようにして、扉側基部５２に取り付けられた取付軸６１が枠上部揺動金具１１０の枠側取付軸孔１１４と嵌合して取付軸６１の側部が保持された状態で、扉側揺動金具５１と枠上部揺動金具１１０とがヒンジ接続され、取付軸６１を揺動軸としてガラス扉５が前枠２に対して揺動可能になる。なお、前述したように、扉上部ヒンジ機構５０におけるガラス扉５の前枠２に対する揺動軸は、中間ヒンジ機構７０におけるガラス扉５の前枠２に対する揺動軸と共通になっている。
【００９６】
なお、ガラス扉５を前枠２から取り外すには、まず、扉上部ヒンジ機構５０において扉側揺動金具５１と枠上部揺動金具１１０とを分離し、次に、中間ヒンジ機構７０において中間ヒンジ機構７０に構成される中間揺動金具７０と中間固定金具８１とを分離すればよい。扉側揺動金具５１と枠上部揺動金具１１０とを分離するには、取付軸６１を下方へスライド移動させて枠上部揺動金具１１０の枠側取付軸孔１１４との嵌合を解除し、この状態で前枠２を前方に傾動させればよい。
【００９７】
以上に説明した本実施形態によるパチンコ機ＰＭの枠上部ヒンジ機構１００によれば、軸部１１３を第２固定側板状部１３１の後方に位置させると軸部１１３がガイド部１５３に当接し、揺動部材１５０が軸部１１３に押圧されて非軸係合位置に位置する状態で、軸部１１３をガイド部１５３に沿って前方に移動させると軸部１１３が通過孔１３６およびガイド孔１３３に導かれ、軸部１１３がガイド孔１３３を通過して軸孔１３２に位置すると揺動部材１５０が部材付勢バネ１７０の付勢力を受けて軸係合位置に揺動し軸係合部１５２が軸部１１３と係合することで、揺動部材１５０により軸部１１３のガイド孔１３３への移動が規制された状態で軸部１１３が軸孔１３２と係合するため、外枠１に対して前枠２を容易に装着させることができるとともに、一旦装着した後は、安定したヒンジ接続を行うことができる。
【００９８】
また、軸係合部１５２が軸部１１３と係合した状態でロックピン１６０により揺動部材１５０の軸係合位置での揺動が規制されるため、揺動部材１５０の揺動により軸係合部１５２と軸部１１３との係合が解除されることがなく、より安定したヒンジ接続を行うことができる。さらに、揺動部材１５０が容易に揺動操作されて軸係合部１５２と軸部１１３との係合が解除されることを防止することができる。また、ロックピン１６０の十字溝１６２によりロックピン１６０をドライバ等の工具のみを用いてネジ回転させることが可能となるため、揺動部材１５０が容易に揺動操作されることをより確実に防止することができる。さらに、飾り部材１４０により軸部１１３や揺動部材１５０が外部から見て覆われた状態となるため、パチンコ機ＰＭの美感が向上するとともに、軸部１１３や揺動部材１５０等に対する不正行為の抑止が期待できる。
【００９９】
なお、上述の実施形態において、前枠２およびガラス扉５の上部には、所定開放保持角度（例えば、１１０度）においてガラス扉５を前枠２に対して開放保持する開放保持機構４００が設けられている。そこで、開放保持機構４００について図１５〜図１７を参照して説明する。ここで、図１５は開放保持機構４００の側面図、図１６は開放保持機構４００の分解斜視図、そして図１７は開放保持機構４００の平面図である。
【０１００】
開放保持機構４００は、図１６に示すように、ガラス扉５を前枠２に対して開放支持する開放支持部材４１０と、開放支持部材４１０が収容可能に接続される収容部材４２０と、開放支持部材４１０と収容部材４２０とを接続させる接続部材４３０と、開放支持部材４１０が係止する係止部材４４０とを主体に構成される。
【０１０１】
開放支持部材４１０は、所定板厚の金属板材を用い、切断、折り曲げ、孔あけ等の成形手段により各図に示す形状に形成され、所定開放保持角度においてガラス扉５を前枠２に対して開放支持可能に構成される。開放支持部材４１０の一端には、収容部材係合軸部４１１が下方へ突出して固着されており、収容部材４２０のスライド係合孔４２３とスライド移動可能に係合するように構成されている。
【０１０２】
開放支持部材４１０の他端には、ピン係止孔４１２が形成されており、収容部材４２０の収容係止ピン４２５および係止部材４４０の開放保持係止ピン４４３に係止可能に構成されている。開放支持部材４１０の側部には、把持部４１３が直角に折り曲げられて形成されており、把持部４１３を把持して開放支持部材４１０をスライド移動させやすいようになっている。
【０１０３】
収容部材４２０は、ガラス扉５の上部裏面側に固定される収容部材基部４２１と、この収容部材基部４２１から直角に折り曲げられて後方に水平に突出する収容部材板状部４２２とを主体に構成され、所定板厚の金属板材を切断、孔開けおよび曲げ形成して図示する形状に形成される。収容部材基部４２１は、リベットやネジ等の締結手段によりガラス扉５の裏面側上部に固定され、これにより収容部材４２０ガラス扉５の上部裏面側に固設される。
【０１０４】
なお、収容部材４２０は、後方に水平に突出する収容部材板状部４２２を備えてガラス扉５の裏面側上部に固設されることで、針金やセル板等の異物が遊技盤１０の表面側に入り込みにくくなり、パチンコ機ＰＭにおける遊技盤１０への不正行為を防止する機能を有している。また、本実施形態における収容部材４２０は、ガラス扉５の上側補強板金としての機能を有している。
【０１０５】
収容部材板状部４２２の右方（図１６における左方）には、スライド係合孔４２３が左方へ延びて形成されており、開放支持部材４１０の収容部材係合軸部４１１がスライド移動可能に係合するようになっている。スライド係合孔４２３の左端（図１６における右端）には、開放保持係止孔４２４が形成されており、収容部材係合軸部４１１が係止可能に構成されている。
【０１０６】
収容部材板状部４２２の左端（図１６における右端）には、開放支持部材４１０のピン係止孔４１２が係止可能な収容係止ピン４２５が固着されている。そして、開放支持部材４１０の収容部材係合軸部４１１をスライド係合孔４２３の右端（図１６における左端）までスライド移動させた状態で、開放支持部材４１０をガラス扉５の方に揺動させてピン係止孔４１２を収容係止ピン４２５に係止させると、開放支持部材４１０が収容部材板状部４２２の上部に平行に位置し、これにより開放支持部材４１０が収容部材４２０に収容されるようになっている。
【０１０７】
接続部材４３０は、樹脂材料を用いて射出成形等の成形手段により円筒状に一体的に形成される。接続部材４３０の中央部には嵌合孔４３１が形成されており、開放支持部材４１０の収容部材係合軸部４１１と嵌合するようになっている。
【０１０８】
そして、開放支持部材４１０の収容部材係合軸部４１１を収容部材板状部４２２のスライド係合孔４２３に上方から通過させた状態で、接続部材４３０の嵌合孔４３１に収容部材係合軸部４１１を圧入して嵌合させることで、接続部材４３０に開放支持部材４１０の上方への移動が規制されて、収容部材係合軸部４１１がスライド係合孔４２３とスライド移動可能に係合する。これにより、収容部材係合軸部４１１を揺動軸として開放支持部材４１０が収容部材４２０に揺動自在に且つスライド移動自在に連結される。
【０１０９】
係止部材４４０は、前枠２の上部裏面側に固定される係止部材基部４４１と、この係止部材基部４４１から直角に折り曲げられて前方に水平に突出する係止部材板状部４４２とを主体に構成され、所定板厚の金属板材を切断、孔開けおよび曲げ形成して図示する形状に形成される。係止部材基部４４１には複数の固定孔４４１ａ，…が孔開け形成されており、リベットやネジ等の締結手段をこれら複数の固定孔４４１ａ，…に通過させて前枠２へ締結固定させることで、係止部材基部４４１すなわち係止部材４４０が前枠２の上部裏面側に固設される。なお、係止部材４４０は、遊技盤１０の着脱の妨げにならないように、前枠２における収容枠２ａの上方に設けられるのが好ましい。
【０１１０】
係止部材板状部４４２の前端部近傍には、下方に突出する開放保持係止ピン４４３が固着されており、開放支持部材４１０のピン係止孔４１２が係止可能に構成されている。そして、ガラス扉５が前枠２に対して所定開放保持角度まで揺動させた状態で、開放支持部材４１０のピン係止孔４１２を開放保持係止ピン４４３に係止させるとともに、開放支持部材４１０の収容部材係合軸部４１１をスライド移動させて収容部材板状部４２２の開放保持係止孔４２４に係止させると、図１５および図１７に示すように、開放支持部材４１０によりガラス扉５が所定開放保持角度において前枠２に対して開放支持されるようになっている。
【０１１１】
このように構成される開放保持機構４００において、開放支持部材４１０を収容部材４２０に収容するには、開放支持部材４１０の収容部材係合軸部４１１をスライド係合孔４２３の右端（図１６における左端）までスライド移動させ、この状態で開放支持部材４１０をガラス扉５の方に揺動させてピン係止孔４１２を収容部材４２０の収容係止ピン４２５に係止させる。これにより、開放支持部材４１０が収容部材板状部４２２の上部に平行に位置して収容部材４２０に収容され、常にはこの状態でパチンコ機ＰＭが使用に供される。
【０１１２】
一方、所定開放保持角度（例えば、１１０度）においてガラス扉５を前枠２に対して開放保持するには、まず、図１７の二点鎖線で示すように、ガラス扉５を前枠２に対して少しだけ（所定開放保持角度より少ない角度だけ）開放揺動させる。次に、収容部材４２０に収容された開放支持部材４１０を前枠２の方に揺動させてピン係止孔４１２と収容係止ピン４２５との係止状態を解除するとともに、ピン係止孔４１２を係止部材４４０の開放保持係止ピン４４３に係止させる。
【０１１３】
そして、ガラス扉５を前枠２に対して所定開放保持角度まで開放揺動させるとともに、収容部材係合軸部４１１をスライド係合孔４２３の左端（図１５および図１６における右端）までスライド移動させて開放保持係止孔４２４に係止させる。そうすると、図１５および図１７に示すように、開放支持部材４１０によりガラス扉５が前枠２に対して開放支持され、この結果、所定開放保持角度においてガラス扉５が前枠２に対して開放保持される。
【０１１４】
これにより、前枠２の収容枠２ａに複数のレバーＬ１，…を利用してセット保持された遊技盤１０の着脱作業をスムーズに行うことができ、さらに、遊技盤１０の前面側におけるメンテナンス作業をスムーズに行うことができる。なお、ガラス扉５が前枠２に対して開放保持された状態から、開放支持部材４１０を収容部材４２０に収容するには、前述と逆の作業を行えばよい。
【０１１５】
このため、以上のような構成の開放保持機構４００によれば、開放支持部材４１０により、所定開放保持角度においてガラス扉５が前枠２に対して開放保持されるため、遊技盤１０の着脱作業や、遊技盤１０の前面側におけるメンテナンス作業をスムーズに行うことができる。
【０１１６】
また、上述の実施形態において、枠上部ヒンジ機構１００がパチンコ機ＰＭに設けられているが、これに限られるものではなく、例えば、スロットマシン等、ベース部材と、ベース部材に揺動開閉自在にヒンジ接続される開閉部材とを備えた遊技機に設けられていればよい。
【０１１７】
さらに、上述の実施形態において、枠上部ヒンジ機構１００がパチンコ機ＰＭの左上部に設けられるともに、枠下部ヒンジ機構２００がパチンコ機ＰＭの左下部に設けられているが、枠下部ヒンジ機構２００がパチンコ機ＰＭの左上部に設けられるともに、枠上部ヒンジ機構１００がパチンコ機ＰＭの左下部に設けられてもよい。
【０１１８】
【発明の効果】
以上説明したように、本発明による遊技機のヒンジ機構によれば、軸部を第２板状部の後方に位置させると軸部がガイド部に当接し、揺動部材が軸部に押圧されて非軸係合位置に位置する状態で、軸部をガイド部に沿って前方に移動させると軸部が通過孔およびガイド孔に導かれ、軸部がガイド孔を通過して軸孔に位置すると揺動部材が付勢手段の付勢力を受けて軸係合位置に揺動し軸係合部が軸部と係合することで、揺動部材により軸部のガイド孔への移動が規制された状態で軸部が軸孔と係合するため、ベース部材に対して開閉部材を容易に装着させることができるとともに、一旦装着した後は、安定したヒンジ接続を行うことができる。
【０１１９】
また、軸係合部が軸部と係合した状態でロック部材により揺動部材の軸係合位置での揺動が規制されるため、揺動部材の揺動により軸係合部と軸部との係合が解除されることがなく、より安定したヒンジ接続を行うことができる。さらに、カバー部材により軸部や揺動部材が外部から見て覆われた状態となるため、パチンコ機の美感が向上するとともに、軸部や揺動部材等に対する不正行為の抑止が期待できる。
【図面の簡単な説明】
【図１】本発明に係るヒンジ機構を備えた遊技機の一例として示すパチンコ機の正面図である。
【図２】上記パチンコ機の裏面側を示す背面図である。
【図３】枠上部ヒンジ機構の分解斜視図である。
【図４】枠上部ヒンジ機構の分解正面図（部分断面図）である。
【図５】枠上部ヒンジ機構の分解平面図（部分断面図）である。
【図６】枠上部ヒンジ機構を外枠側と前枠側とに分離した状態を示す平面図である。
【図７】枠上部ヒンジ機構の側面図（部分断面図）である。
【図８】枠上部ヒンジ機構に構成される枠上部揺動金具と枠上部固定金具との連結開始状態を示す平面図（部分断面図）である。
【図９】枠上部揺動金具の軸部が枠上部固定金具のガイド孔に導かれた状態を示す平面図（部分断面図）である。
【図１０】枠上部揺動金具と枠上部固定金具との連結過程を（ａ）（ｂ）の順に時系列で表す説明図（側断面図）である。
【図１１】扉上部ヒンジ機構の正面図（部分断面図）である。
【図１２】枠上部ヒンジ機構および扉上部ヒンジ機構の平面拡大図（部分断面図）である。
【図１３】枠下部ヒンジ機構の分解斜視図である。
【図１４】中間ヒンジ機構の分解斜視図である。
【図１５】開放保持機構の側面図である。
【図１６】開放保持機構の分解斜視図である。
【図１７】開放保持機構の平面図である。
【図１８】従来のヒンジ機構の一例を示す斜視図である。
【図１９】従来のヒンジ機構における別の例を示す斜視図である。
【符号の説明】
Ｌ１  レバー
Ｌ２  レバー
ＰＡ  遊技領域
ＰＭ  パチンコ機
Ｗ１  軸受け幅
Ｗ２  軸導入幅
１  外枠
２  前枠（２ａ  収容枠）
４  施錠装置
５  ガラス扉
６  球皿
８  操作ハンドル
１０  遊技盤
１８  画像制御基板
３０  裏セット盤
３１  球貯留タンク
３２  タンクレール
３３  整列待機通路
３４  賞球カセット
３５  賞球排出通路
３７  電源基板
３８  主制御基板
５０  扉上部ヒンジ機構
５１  扉側揺動金具
５２  扉側基部（５２ａ  固定孔）
５３ａ，５３ｂ  扉側板状部
５４ａ，５４ｂ  扉側軸孔
５５  ピン当接部
５９  補強板金
６１  取付軸（６１ａ  面取り、６１ｂ  操作部）
６２  軸付勢バネ
６３  バネ受け部材
７０  中間ヒンジ機構
７１  中間揺動金具
７２  揺動側基部
７３  揺動側板状部
７４  ピン孔
７５  侵入防止部
７９  補強板金
８１  中間固定金具
８２  固定側基部（８２ａ  固定孔）
８３  固定側板状部
８４  両頭ピン
８５  ヒンジ部材受け部
１００  枠上部ヒンジ機構
１１０  枠上部揺動金具
１１１  揺動側基部（１１１ａ  固定孔）
１１２  揺動側板状部
１１３  軸部（１１３ａ  面取り）
１１４  枠側取付軸孔
１１５  軸ガイド溝
１１６  規制ピン取付孔
１１９  開放角度規制ピン（１１９ａ  ネジ溝）
１２０  枠上部固定金具
１２１  固定側基部
１２２  固定孔
１２５  第１固定側板状部
１２６  揺動部材取付孔
１２７  ロックピン取付孔
１２８  係止ピン取付孔
１３１  第２固定側板状部
１３２  軸孔
１３３  ガイド孔
１３４  飾り部材取付孔
１３５  壁部
１３６  通過孔
１３９  切り欠き部
１４０  飾り部材
１４１  飾り部材取付部（１４１ａ  取付孔）
１４２  逃げ孔部
１４３  軸受け部
１４４  上動防止部
１４９  皿ネジ
１５０  揺動部材
１５１  揺動部材軸部
１５２  軸係合部
１５３  ガイド部
１５４  バネ係止孔
１５５  ロック片当接部
１６０  ロックピン
１６１  ネジ溝
１６２  十字溝
１６３  ロック片部
１７０  部材付勢バネ
１７５  バネ係止ピン
２００  枠下部ヒンジ構造
２１０  枠下部固定金具
２１１  固定側基部
２１２  固定側板状部
２１５  支軸
２２０  枠下部揺動金具
２２１  揺動側基部
２２２  揺動側板状部
２２５  軸支持孔
４００  開放保持機構
４１０  開放支持部材
４１１  収容部材係合軸部
４１２  ピン係止孔
４１３  把持部
４２０  収容部材
４２１  収容部材基部
４２２  収容部材板状部
４２３  スライド係合孔
４２４  開放保持係止孔
４２５  収容係止ピン
４３０  接続部材
４３１  嵌合孔
４４０  係止部材
４４１  係止部材基部（４４１ａ  固定孔）
４４２  係止部材板状部
４４３  開放保持係止ピン
５００  第１ヒンジ部材（５００′  第１ヒンジ部材）
５０１  第１板状部
５０２  軸支持孔
５０３  導入開口
５０５  第２ヒンジ部材（５０５′  第２ヒンジ部材）
５０６  第２板状部
５０７  支軸（５０７ａ  平面部）
【図１】
2004208966.tif 000003
【図２】
2004208966.tif 000004
【図３】
2004208966.tif 000005
【図４】
2004208966.tif 000006
【図５】
2004208966.tif 000007
【図６】
2004208966.tif 000008
【図７】
2004208966.tif 000009
【図８】
2004208966.tif 000010
【図９】
2004208966.tif 000011
【図１０】
2004208966.tif 000012
【図１１】
2004208966.tif 000013
【図１２】
2004208966.tif 000014
【図１３】
2004208966.tif 000015
【図１４】
2004208966.tif 000016
【図１５】
2004208966.tif 000017
【図１６】
2004208966.tif 000018
【図１７】
2004208966.tif 000019
【図１８】
2004208966.tif 000020
【図１９】
2004208966.tif 000021